(57)【特許請求の範囲】
【請求項１】
複数の処理回路ブロックを備え、処理回路ブロックが異なる供給電力源からの供給電力によって動作する回路ブロックに分けられて所定の画像処理を実行するとともに、該処理回路ブロックのうち所定の処理回路ブロックへの電力供給を停止するスリープモードを有する画像処理装置であって、
外部交流電力から比較的大量の電力を生成するメイン電力生成手段と、
外部交流電力から比較的少量の直流電力を生成するサブ電力生成手段と、
所定容量の蓄電電池機能部と電力供給電池機能部を有し蓄電電池機能部が充電された蓄電電力を電力供給電池機能部に充電して該電力供給電池機能部から電力供給する電池手段と、
外部から供給されるＵＳＢ供給電力の最大電力量を取り込むＵＳＢ電力取り込み手段と、
前記電池手段の前記蓄電電池機能部を充電する充電手段と、
前記サブ電力生成手段の生成する直流電力と前記ＵＳＢ電力取り込み手段の取り込むＵＳＢ供給電力のいずれかを選択して前記充電手段に供給する切り替え手段と、
前記切り替え手段からの電力と前記電池手段の前記電力供給電池機能部からの電力を前記処理回路ブロックのうち所定量の処理回路ブロックに供給する電力供給手段と、
前記電力供給手段から供給する電力が前記スリープモード時に動作するスリープ時動作回路に対して所定の動作を行うのに有効な電力量であるか否かを判定する判定手段と、
前記判定手段が有効な電力量であると判定すると、前記メイン電力生成手段をオフの状態とし、前記電池手段の電力を前記電力供給手段から前記スリープモード時動作回路に供給させ、前記判定手段が無効な電力量であると判定すると、前記充電手段に前記電池手段を充電させるとともに、前記サブ電力生成手段からの電力出力を抑制する制御手段と、
を備えていることを特徴とする画像処理装置。
【請求項２】
前記電池手段は、前記蓄電電池機能部が、キャパシタであることを特徴とする請求項１記載の画像処理装置。
【請求項３】
前記電池手段は、並列接続され個別に充電及び放電が可能な複数のセルで構成され、前記蓄電電池機能部が、該複数のセルのうち少なくとも１つのセルであることを特徴とする請求項１記載の画像処理装置。
【請求項４】
前記電池手段は、前記電力供給電池機能部に対して、並列に増設電力電池機能部が接続可能であることを特徴とする請求項１から請求項３のいずれかに記載の画像処理装置。
【請求項５】
前記画像処理装置は、前記サブ電力生成手段、前記電池手段、前記ＵＳＢ電力取り込み手段、前記充電手段、前記切り替え手段、前記電力供給手段、前記判定手段及び前記制御手段が、所定数のユニットとして該画像処理装置に対して離接可能に構成されていることを特徴とする請求項１から請求項４のいずれかに記載の画像処理装置。
【請求項６】
前記制御手段は、前記充電手段による前記電池手段の充電タイミング及び充電期間を、前記画像処理装置全体の動作頻度に基づいて制御することを特徴とする請求項１から請求項５のいずれかに記載の画像処理装置。
【請求項７】
前記制御手段は、前記充電手段による前記電池手段の充電タイミング及び充電期間を、前記画像処理装置全体の消費電力と該電池手段への充電電力の比率に基づいて制御することを特徴とする請求項１から請求項５のいずれかに記載の画像処理装置。
【請求項８】
前記画像処理装置は、所定範囲の人体を検知する人体検知手段をさらに備え、
前記制御手段は、前記人体検知手段が人体を非検知の状態のときに、前記充電手段に前記電池手段への充電を行わせることを特徴とする請求項１から請求項７のいずれかに記載の画像処理装置。
【請求項９】
複数の処理回路ブロックを備え、処理回路ブロックが異なる供給電力源からの供給電力によって動作する回路ブロックに分けられて所定の画像処理を実行するとともに、該処理回路ブロックのうち所定の処理回路ブロックへの電力供給を停止するスリープモードを有する画像処理装置における電力管理方法であって、外部交流電力から比較的大量の電力を生成するメイン電力生成処理ステップと、外部交流電力から比較的少量の直流電力を生成するサブ電力生成処理ステップと、外部から供給されるＵＳＢ供給電力の最大電力量を取り込むＵＳＢ電力取り込み処理ステップと、  所定容量の蓄電電池機能部と電力供給電池機能部を有し蓄電電池機能部が充電された蓄電電力を電力供給電池機能部に充電して該電力供給電池機能部から電力供給する電池手段を充電する充電処理ステップと、  前記サブ電力生成処理ステップで生成される直流電力と前記ＵＳＢ電力取り込み処理ステップで取り込まれるＵＳＢ供給電力のいずれかを選択して前記充電処理ステップに供給する切り替え処理ステップと、  前記切り替え処理ステップからの電力と前記電池手段の前記電力供給電池機能部からの電力を前記処理回路ブロックのうち所定量の処理回路ブロックに供給する電力供給処理ステップと、  前記電力供給処理ステップで供給される電力が前記スリープモード時に動作するスリープ時動作回路に対して所定の動作を行うのに有効な電力量であるか否かを判定する判定処理ステップと、  前記判定処理ステップで有効な電力量であると判定されると、前記メイン電力生成処理ステップをオフの状態とし、前記電池手段の電力を前記電力供給処理ステップによって前記スリープモード時動作回路に供給させ、前記判定処理ステップで無効な電力量であると判定されると、前記充電処理ステップに前記電池手段を充電させるとともに、前記サブ電力生成処理ステップからの電力出力を抑制する制御処理ステップと、を有していることを特徴とする電力管理方法。
【請求項１０】
複数の処理回路ブロックを備え、処理回路ブロックが異なる供給電力源からの供給電力によって動作する回路ブロックに分けられて所定の画像処理を実行するとともに、該処理回路ブロックのうち所定の処理回路ブロックへの電力供給を停止するスリープモードを有する画像処理装置に搭載される電力管理プログラムであって、
コンピュータに、
外部交流電力から比較的大量の電力を生成するメイン電力生成処理と、
外部交流電力から比較的少量の直流電力を生成するサブ電力生成処理と、
外部から供給されるＵＳＢ供給電力の最大電力量を取り込むＵＳＢ電力取り込み処理と、
所定容量の蓄電電池機能部と電力供給電池機能部を有し蓄電電池機能部が充電された蓄電電力を電力供給電池機能部に充電して該電力供給電池機能部から電力供給する電池手段を充電する充電処理と、
前記サブ電力生成処理で生成される直流電力と前記ＵＳＢ電力取り込み処理で取り込まれるＵＳＢ供給電力のいずれかを選択して前記充電処理に供給する切り替え処理と、
前記切り替え処理からの電力と前記電池手段の前記電力供給電池機能部からの電力を前記処理回路ブロックのうち所定量の処理回路ブロックに供給する電力供給処理と、
前記電力供給処理で供給される電力が前記スリープモード時に動作するスリープ時動作回路に対して所定の動作を行うのに有効な電力量であるか否かを判定する判定処理と、
前記判定処理で有効な電力量であると判定されると、前記メイン電力生成処理をオフの状態とし、前記電池手段の電力を前記電力供給処理によって前記スリープモード時動作回路に供給させ、前記判定処理で無効な電力量であると判定されると、前記充電処理に前記電池手段を充電させるとともに、前記サブ電力生成処理からの電力出力を抑制する制御処理と、
を実行させることを特徴とする電力管理プログラム。
【請求項１１】
請求項１０記載の電力管理プログラムを記録したことを特徴とするコンピュータが読み取り可能な記録媒体。
【発明の詳細な説明】
【技術分野】
【０００１】
本発明は、画像処理装置、電力管理方法、電力管理プログラム及び記録媒体に関し、詳細には、ＵＳＢ供給電力を有効に活用する画像処理装置、電力管理方法、電力管理プログラム及び記録媒体に関する。
【背景技術】
【０００２】
複写装置、ファクシミリ装置、プリンタ装置、複合装置、スキャナ装置、コンピュータ等の画像処理装置は、通常、電源の投入後に、使用されずに待機状態となっている時間が多く、従来から、消費電力を削減するために、待機状態が一定時間経過すると、ネットワークからの要求や動作要求操作等を検知する復帰検知部やその他の主要部にのみ電力を供給し、その他の各部への電力の供給を停止したり、供給電力量を削減して消費電力を削減する省電力モード（スリープモード等）を備えている。
【０００３】
そして、従来、このような省電力モードを備えた画像処理装置において、メインＣＰＵ（Central Processing Unit ）への電源の供給をも停止して、消費電力のより一層の削減を図るために、メインＣＰＵの他に、省電力モード中においても必要な機能を実行させるサブＣＰＵを内蔵したＳｏＣ（System on Chip）を搭載した複合装置等の画像処理装置が出現している。
【０００４】
また、プリンタ装置等の画像処理装置においては、ＵＳＢ（Universal Serial Bus）ケーブルを通じてコンピュータ本体から周辺機器に給電するＵＳＢ供給電力（ＵＳＢバスパワー）を利用して、内部回路の一部に該ＵＳＢ供給電力を利用して電力供給して、動作させる技術が出現している。このような画像処理装置、例えば、画像形成装置は、ＵＳＢ  Ｉ／Ｆにパーソナルコンピュータを接続し、省電力モード時に、該省電力モード時にも電力を供給する必要のある回路部分の一部に、スキャナ、プロッタを駆動する大電流に対応した、画像形成装置の電源ユニットを待機時には使用せず、パーソナルコンピュータからのＵＳＢ給電を供給することが行われている。
【０００５】
そして、従来、動作を開始すると、ＵＳＢの初期化中においては、ＣＰＵの低速クロックによる動作、通信モードの低速化によって、ＵＳＢ供給電力から動作可能な回路に最大１００ｍＡの電力を供給し、ＵＳＢの初期化が終了すると、最大５００ｍＡの電力を供給して、さらに大きな電力供給が必要な場合には、メイン電源をオンにする技術が提案されている（特許文献１参照）。
【発明の概要】
【発明が解決しようとする課題】
【０００６】
しかしながら、上記公報記載の従来技術にあっては、消費電力をより一層削減する上で改良の必要があった。
【０００７】
すなわち、ＵＳＢにおいては、ＵＳＢのステータスとＵＳＢ供給電力の使用できる電流との関係は、図１６に示すような関係にあり、図１６は、ＵＳＢ供給電力の供給を受ける画像処理装置に、ＵＳＢ供給電力を供給するパーソナルコンピュータ等の装置（以下、パーソナルコンピュータという。）が常時接続されていて、パーソナルコンピュータ側に省電力モードがない場合の関係が示されている。図１６において、オフ状態（ＵＳＢ許容電流Ｌａが、０ｍＡ）から起動すると、初期化状態（ＵＳＢ許容電流Ｌａが、Ｍａｘ１００ｍＡ）を経て、データ送受信時には、Ｍａｘ５００ｍＡを使用することができる。その後、パーソナルコンピュータがオフされるまで、点線で示すＭａｘ５００ｍＡのＵＳＢ許容電流Ｌａの状態が維持されると期待されている。
【０００８】
ところが、画像処理装置のＵＳＢポートに、必要なときだけ、パーソナルコンピュータを接続したり、パーソナルコンピュータのＯＳ（Operating System）でＵＳＢ通信がアイドル状態の場合にはポートをサスペンド状態にする省電力モードが設定されていたりすると、図１６に実線で示すように、サスペンド状態に移行したり、ケーブルが抜かれる時点で、Ｍａｘ５００μＡのＵＳＢ許容電流しか利用できなかったり、０ｍＡになってしまう。
【０００９】
そして、画像処理装置のＵＳＢポートにパーソナルコンピュータを接続してＵＳＢ通信を行ったときの画像処理装置の動作状態は、図１７のように示され、データ送受信が始まると、画像処理装置は、ＵＳＢ  Ｉ／Ｆ（インターフェイス）と通信データのバッファリングを行い、データ通信が終わると、バッファリングしたデータを大容量メモリに自身の方式で圧縮して蓄積したり、別のファイル形式にデータ変換したり、あるいは、ネットワークへの配信や転送を行うが、このときの消費電流がＬｂで示されている。そして、図１７において、実線Ｌａは、上記図１６と同様のＵＳＢ許容電流を示している。
【００１０】
したがって、図１７から分かるように、図１７に破線領域Ａでは、ＵＳＢ供給電力（ＵＳＢバスパワー）が通信に画像処理装置で使用する電力量よりも多く、電力が余るが、データ通送受信が完了すると、画像処理装置では、データのメモリ蓄積、データ交換、ネットワーク転送のために大きな電力を必要とし、さらに、後処理を行った後に待機状態へと移行する。その結果、図１７に破線領域Ｂでは、ＵＳＢ供給電力よりも必要消費電力の方が多くなり不足する。具体的には、画像処理装置は、ＵＳＢ通信を開始すると、ＵＳＢのＩ／Ｆの初期化等で１００ｍＡより少ない電流で動作し、ＵＳＢ通信が確立すると、一瞬突入電流が流れた後にデータの送受信を行って、受信したデータをバッファリングする。したがって、この期間においては、回路の消費電力を抑制すると、ＵＳＢ通信自体は５００ｍＡより充分低い電流で実現することができる。ところが、ＵＳＢ通信後の画像処理装置での処理には、周辺回路の多くを使用する必要があり、多くの電流が必要となって、最近の高速ＣＰＵ等では、５００ｍＡでは足りなくなる。
【００１１】
そして、上記公報記載の従来技術にあっては、消費電流がＭａｘ５００ｍＡを上回ってＵＳＢ供給電力だけでは不足すると、メイン電源を入れるようになっていたため、図１７に示した突入電流が大きい場合には、データ通信の最初やデータの送受信が終わった時点で、メイン電源がオンになり、消費電力を効率的に削減する上で、改良の必要があった。
【００１２】
すなわち、従来技術にあっては、ＵＳＢ供給電力を最大限得られるのは通信中の短い時間に限られてしまう場合がある。例えば、プロッタ部等の大電流が必要な場合だけでなく、データ転送終了後のＣＰＵ処理が周辺回路を多く使用する処理中にもすぐにメイン電源がＯＮしてしまったり、パーソナルコンピュータの電源がオフされてしまうような、実質上、ＵＳＢ供給電力が得られない夜間や休日には全く動作しないおそれがあった。
【００１３】
また、電源効率の悪いメイン電源ユニットの代わりに、比較的効率がよいことを理由に、パーソナルコンピュータのＵＳＢ供給電力を供給し続けるのは、オフィス等での省電力を図る上で、効率的とはいえない。
【００１４】
さらに、パーソナルコンピュータは画像処理装置に比較して、使用されていない待機状態よりは、使用されている動作状態の方が比較的長いため、ＵＳＢ供給電力を利用できる機会は多いが、パーソナルコンピュータ自体においても省電力機能があり、特に、ＵＳＢ供給電力を供給可能なＵＳＢポートを備えたモバイル端末等の電池駆動の機器においては、アイドル状態にはサスペンドモードに移行するように設定されていることがある。このように、アイドル状態にサスペンドモードに移行する設定になっていると、ＵＳＢ供給電力の最大５００ｍＡを得られるのは、ＵＳＢ通信のデータ転送中だけの短い時間となり、直ぐに、ＵＳＢ供給電力は、サスペンド状態の５００μＡしか供給できなくなって、充分にＵＳＢ供給電力を利用できなくなる。
【００１５】
また、通常、オフィス環境では、夜間や休日には、パーソナルコンピュータは、電源が切断されるため、夜間や休日には、画像処理装置は、パーソナルコンピュータのＵＳＢ供給電力を、一切使用することができず、ファクシミリ受信があると、省電力モードから復帰して、メイン電源をオンにしてファクシミリ受信処理を行うため、省電力を向上させる上で、改良の必要があった。
【００１６】
そこで、本発明は、ＵＳＢ供給電力と電池電力を効率的に利用して、省電力効果を向上させる画像処理装置、電力管理方法、電力管理プログラム及び記録媒体を提供することを目的としている。
【課題を解決するための手段】
【００１７】
本発明は、上記目的を達成するために、複数の処理回路ブロックが異なる供給電力源からの供給電力によって動作する回路ブロックに分けられて所定の画像処理を実行するとともに、該処理回路ブロックのうち所定の処理回路ブロックへの電力供給を停止するスリープモードを有する画像処理装置において、電池手段を充電する充電手段に対して、外部交流電力から比較的少量の直流電力を生成するサブ電力生成手段の生成する電力と、外部から供給されるＵＳＢ供給電力の最大電力量を取り込むＵＳＢ電力取り込み手段の取り込んだＵＳＢ供給電力と、を切り替え手段で切り替えて供給して、電力供給手段によって、該切り替え手段からの電力と該電池手段の該電力供給電池機能部からの電力を前記処理回路ブロックのうち所定量の処理回路ブロックに供給する場合に、前記電力供給手段から供給される電力が前記スリープモード時に動作するスリープ時動作回路に対して所定の動作を行うのに有効な電力量であるか否かを判定し、有効な電力量であると判定されると、外部交流電力から比較的大量の電力を生成するメイン電力生成手段をオフの状態とし、該電池手段の電力を該電力供給手段によって前記スリープモード時動作回路に供給させ、該判定結果が無効な電力量であるとの判定であると、前記充電手段に前記電池手段を充電させるとともに、前記サブ電源手段からの電力出力を抑制することを特徴としている。
【００１８】
また、本発明は、前記充電手段による前記電池手段の充電タイミング及び充電期間を、前記画像処理装置全体の動作頻度に基づいて制御することを特徴としてもよい。
【００１９】
さらに、本発明は、前記充電手段による前記電池手段の充電タイミング及び充電期間を、前記画像処理装置全体の消費電力と該電池手段への充電電力の比率に基づいて制御することを特徴としてもよい。
【発明の効果】
【００２０】
本発明によれば、ＵＳＢ供給電力と電池電力を効率的に利用して、省電力効果を向上させることができる。
【図面の簡単な説明】
【００２１】
【図１】本発明の第１実施例を適用した複写装置のブロック構成図。
【図２】ＲＤＥＴの回路ブロック構成図。
【図３】定電圧制御回路の回路構成図。
【図４】充放電制御回路の回路構成図。
【図５】電力管理処理を示すフローチャート。
【図６】図５の続きの処理を示すフローチャート。
【図７】図５の続きの処理を示すフローチャート。
【図８】図５の続きの処理を示すフローチャート。
【図９】電圧ＢＡＴ１のみが供給されているスリープ状態における複写装置のブロック構成図。
【図１０】電圧ＢＡＴ１と電圧Ｖ１が供給されている状態の複写装置のブロック構成図。
【図１１】電圧ＢＡＴ１、電圧Ｖ１及びが供給されている状態の複写装置のブロック構成図。
【図１２】複写装置のコピー動作時における消費電力の一例を示す図。
【図１３】複写装置の動作と電池充電タイミングの一例を示す図。
【図１４】電池を増設する場合の充放電制御回路の回路構成図。
【図１５】電池電力管理部分をユニット化した複写装置のブロック構成図。
【図１６】ＵＳＢの各状態とＵＳＢ許容電流の関係を示す図。
【図１７】ＵＳＢ通信と複写装置の通信動作状態及び消費電力の対応関係を示す図。
【発明を実施するための形態】
【００２２】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２３】
図１〜図１５は、本発明の画像処理装置、省電力制御方法、省電力制御プログラム及び記録媒体の第１実施例を示す図であり、図１は、本発明の画像処理装置、省電力制御方法、省電力制御プログラム及び記録媒体の第１実施例を適用した複合装置１のブロック構成図である。
【００２４】
図１において、複合装置１は、メイン電源スイッチ２、ＰＳＵ（Power Supply Unit）３、プロッタ４、画像処理部５、コントローラ６、ＮＩＣ（Network Interface Card）７、ネットワークＩ／Ｆ８、ハブ９、大容量不揮発メモリ１０、ＵＳＢ  Ｉ／Ｆ１１、ＦＡＸ部１２、ＲＤＥＴ１３、定電圧制御回路１４、ＲＴＣ（リアルタイムクロック；Real Time Clock ）１５、人体検知部１６、ＡＤＦ／ＦＢ部１７、操作部１８、スキャナ１９及びＩＯ制御部２０等を備えている。なお、図１において、各ブロック内に記載されているＶ１、Ｖ２、ＢＡＴ１は、ＰＳＵ３または定電圧制御回路１４から供給される電圧を示している。
【００２５】
ＮＩＣ７は、ネットワークＩ／Ｆ８を介して有線または無線のＬＡＮ（Local Area Network）等のネットワークＮＷに接続されており、コントローラ６の制御下で、ネットワークＮＷを介してのメール通信やデータの送受信を行う。
【００２６】
ＵＳＢ  Ｉ／Ｆ１１には、外部のパーソナルコンピュータＰＣのＵＳＢ（Universal Serial Bus）ポートとの間でＵＳＢケーブルによって接続され、該ＵＳＢケーブルを介してパーソナルコンピュータＰＣとの間でデータ通信を行う。
【００２７】
また、パーソナルコンピュータＰＣからはＵＳＢケーブルを通して電圧ＶＢＵＳのＵＳＢ供給電力が供給され、このＵＳＢ供給電力が定電圧制御回路１４に入力される。
【００２８】
ＰＳＵ３は、メイン電源スイッチ２を介してプラグ２１が接続されており、プラグ２１は、商用電源のコンセントに差し込まれて１００Ｖの商用交流電力（外部交流電力）を複合装置１に供給する。このプラグ２１は、定電圧制御回路１４にも接続されており、定電圧制御回路１４に商用交流電力を供給する。
【００２９】
メイン電源スイッチ２は、プラグ２１とＰＳＵ３との間に配設されており、人手でオン／オフ操作されて、プラグ２１を介してＰＳＵ３に供給される商用電力の供給／遮断を行う。
【００３０】
ＰＳＵ３は、メイン電源スイッチ２を介して供給される交流の商用電力を整流及び電圧調整して、電圧Ｖ１を生成して複合装置１の必要な各部、具体的には、プロッタ４、ＰＩＸ５、コントローラ６、ＩＯ制御部７、ＡＤＦ／ＦＢ１７に供給する。ＰＳＵ３は、生成した電圧Ｖ１の供給ラインをＲＤＥＴ１３からの切り替え信号ＳＷ１によってオン／オフするスイッチ３ａを備えており、スイッチ３ａは、メイン電源スイッチ２がオフからオンされるときには、オンされる回路構成となっている。
【００３１】
定電圧制御回路１４には、プラグ２１を介して商用交流電源が供給されるとともに、ＵＳＢ供給電力が供給され、定電圧制御回路１４は、これらから電圧Ｖ１、電圧Ｖ２及び電圧ＢＡＴ１を生成して複合装置１内の必要な各部に供給する。
【００３２】
画像処理部５は、複合装置１においてスキャナ処理、プリンタ処理、コピー処理、転送処理、ファクシミリ処理等の各種処理を行う上で必要な各種画像処理を画像データに対して施す。この画像処理部５と大容量不揮発メモリ１０及びプロッタ４、コントローラ６、スキャナ１９、ＩＯ制御部２０、ハブ９は、画像処理を高速で行うために、バス２２によって接続されている。この画像処理装置５は、電圧Ｖ１によって動作する。
【００３３】
プロッタ４は、所定の画像形成方式、例えば、電子写真方式やインク噴射方式等によって所定の解像度で画像形成し、電子写真方式の場合には、例えば、回転駆動される感光体を中心に、光書き込み部、現像部及び転写部、定着部、帯電部及びクリーニング部等が配設されている。このような電子写真方式のプロッタ４は、帯電部で一様に帯電された感光体上に、光書き込み部がスキャナ１９からの原稿の画像データや受信した画像データに基づいて変調した書き込み光を照射して、静電潜像を形成する。プロッタ４は、この静電潜像の形成された感光体に現像部からトナー（現像剤）を供給して現像し、感光体上のトナー画像を転写部と感光体との間に給紙カセットから用紙搬送部によって搬送されてきた用紙に転写して、トナー画像の転写の完了した用紙を定着部に搬送して、定着部で定着させる。このプロッタ４は、電圧Ｖ１で動作する。
【００３４】
スキャナ１９は、ＡＤＦ（Auto Document Feeder）／ＦＢ（Flat Bed）１７を搭載しており、ＡＤＦ／ＦＢ１７のＡＤＦは、複数枚の原稿がセットされて、セットされた原稿を１枚ずつ搬送読み取り位置に搬送して読み取りの完了した原稿を排紙台上に排出する。ＡＤＦ／ＦＢ１７のＦＢは、コンタクトガラスや押さえ板（ＡＤＦが兼用されていることが多い）等を備え、１枚ずつ手操作で原稿がコンタクトガラス上にセットされて、押さえ板によってコンタクトガラス上に押しつけた状態で原稿の読み取りを行わせる。
【００３５】
スキャナ１９は、ＡＤＦ／ＦＢ１７によって読み取り位置に搬送されてきた原稿及びコンタクトガラス上の原稿を走査して原稿の画像を読み取り、読み取った原稿画像をデジタル変換してコントローラ６に転送する。このスキャナ１９及びＡＤＦ／ＦＢ１７は、電圧Ｖ１で動作する。
【００３６】
ＩＯ制御部２０は、主に、プロッタ４、スキャナ１９及びＡＤＦ／ＦＢ１７のインプット及びアウトプットを制御する。ＩＯ制御部２０は、電圧Ｖ１で動作する。
【００３７】
操作部１８は、複合装置１に各種動作をさせるのに必要な各種操作を行う操作キー及びディスプレイやＬＥＤ（Light Emitting Diode）等を備え、コントローラ６の制御下で、ユーザに通知する各種情報をディスプレイに表示するとともに、操作キーで入力された各種命令やパラメータを取得してコントローラ６に出力する。なお、操作部１８は、供給電力として、電圧ＢＡＴ１と電圧Ｖ２が記載されているが、これは、操作部１８が、複合装置１のスリープモードのキースキャンやＬＥＤ等の一部の回路を電圧ＢＡＴ１で駆動し、その他の回路を電圧Ｖ２で駆動することを示している。
【００３８】
人体検知部（人体検知手段）１６は、例えば、発光素子（ＬＥＤ等）と受光素子（フォトトランジスタ）等で構成され、検知物としての複合装置１周辺における人体の有無を検知して、検知結果をＲＤＥＴ１３に出力する。なお、人体検知部１６の発光素子としては、その人体検知性能から、赤外線ＬＥＤが用いられている。人体検知部１６は、電圧ＢＡＴ１で動作する。
【００３９】
ＲＴＣ（リアルタイムクロック；Real Time Clock）１５は、発振回路や分周回路等を備え、現在時刻の計時や各種タイマ機能を実行する。ＲＴＣ１５は、電圧ＢＡＴ１で動作する。
【００４０】
コントローラ６は、このＲＴＣ１５の計時する現在時刻やタイマ機能を利用して複合装置１としての各種処理を実行する。
【００４１】
ＦＡＸ部１２は、ＲＤＥＴ１３を介して公衆回線ＴＮに接続され、通常のファクシミリ通信手順を実行して、相手ファクシミリ装置からのファクシミリデータの受信処理とスキャナ１９で読み取って大容量不揮発メモリ１０に保管されているデータの送信処理を実行する。ＦＡＸ部１２は、電圧Ｖ２で動作する。
【００４２】
大容量不揮発メモリ１０は、例えば、ＳＳＤ（Solid State Drive）等が用いられており、画像データやシステムデータ等の複合装置１の電源がオフの場合にも記憶しておくべきデータを記憶する。大容量不揮発メモリ１０は、電圧Ｖ２で動作する。
【００４３】
コントローラ６は、図示しないが、ＣＰＵ（Central Processing Unit ）、ＲＯＭ（Read Only Memory）、ＲＡＭ（Random Access Memory）等を備え、ＣＰＵが、ＲＯＭ内のプログラムに基づいてＲＡＭをワークメモリとして利用して、複合装置１の各部を制御して、複合装置１としての基本処理を実行する。コントローラ６は、電圧Ｖ１で動作する。なお、コントローラ６画素の動作を制御する回路ブロックであって、コントローラ６の動作電圧である電圧Ｖ１とは異なる電圧Ｖ２で動作するＡＤＦ／ＦＢ７、ハブ９、大容量不揮発メモリ１０は、電圧Ｖ１がオフのときに電流を遮断するＩ／Ｆを備えている。
【００４４】
上記ＵＳＢ  Ｉ／Ｆ１１、ＦＡＸ部１２、操作部１８、大容量不揮発メモリ１０及びコントローラ６は、ハブ９を介して接続されている。
【００４５】
ＲＤＥＴ（判定手段、制御手段）１３は、電話回線網ＴＮとのＩ／Ｆも備えており、電話回線網ＴＮからの信号を絶縁カップリングする。ＲＤＥＴ１３は、ＲＴＣ１５や人体検知部１６とも接続され、時計データ、人体検出結果を、省電力モードの１つであるスリープモードからの復帰要因として取り込む。また、ＲＤＥＴ１３は、ＡＤＦ／ＦＢ１７の原稿セット検知センサの検知信号、操作部１８のキー操作検知信号が、スリープモードからの復帰要因として入力される。ＲＤＥＴ１３は、電圧ＢＡＴ１で動作する。
【００４６】
ＲＤＥＴ１３は、図２に示すように、ＣＰＵ３１、ＦＲＯＭ（Flash ＲＯＭ）３２、ＳＲＡＭ（Static ＲＡＭ ）３３、ＤＰＲＡＭ（Dual Port ＲＡＭ）３４、ＤＡＡ  Ｉ／Ｆ３５、ＳＩＯ（Serial Input Output）３６、ＰＩＯ（Parallel Input Output）３７、ＮＩＦ３８、ＤＡＡ（Digital Access Arrangement；通信制御部）３９及びトランス４０等を備えており、ＰＳＵ３、定電圧制御回路１４内にある、ＰＳＵ３のスイッチ３ａを切り替える切り替え信号ＳＷ１及び定電圧制御回路１４へ出力する切り替え信号ＳＷ２〜ＳＷ４の出力制御処理を行うとともに、定電圧制御回路１４からの各種検知信号ＤＥＴ１〜ＤＥＴ４を判断して、後述する電力管理処理を行う。
【００４７】
ＦＲＯＭ３２には、ＲＤＥＴ１３としてのプログラムやシステムデータが格納されており、ＣＰＵ３１は、ＦＲＯＭ３２のプログラムに基づいてＳＲＡＭ３３をワークメモリとして利用しつつＲＤＥＴ１３の各部を制御してＲＤＥＴ１３としての処理を実行するとともに、後述する電力管理処理を実行する。ＳＲＡＭ３３は、スタックや各種設定内容の記憶に使用される。
【００４８】
すなわち、複合装置１、特に、ＲＤＥＴ１３は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の電力管理方法を実行する電力管理プログラムを読み込んでＦＲＯＭ３２等に導入することで、後述するＵＳＢ供給電力を有効利用しつつ電池電力を利用して省電力を向上させる画像処理装置として構築されている。この電力管理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４９】
ＳＩＯ３６は、ＲＴＣ１５、操作部１８及び人体検知部１６に接続され、ＲＴＣ１５の計時結果、操作部１８の操作結果及び人体検知部１６の検知結果をデジタル信号として取り込み、ＰＩＯ３７は、定電圧制御回路１４からの検知信号ＤＥＴ１〜ＤＥＴ４をデジタル信号として受け取るとともに、ＰＳＵ３に切り替え信号ＳＷ１を、定電圧制御回路１４に切り替え信号ＳＷ２〜ＳＷ４を出力する。
【００５０】
ＮＩＦ３９には、電話回線網ＴＮが接続され、電話回線網ＴＮからの呼び出し信号やアナログ信号をＤＡＡ３８に渡して、ＤＡＡ３８がデジタル化する。トランス４０は、電話回線網ＴＮと複合装置１の２次回路とを絶縁カップリングし、トランス４０の２次側には、ファクシミリ通信を行うために、回線データを取り込んでＣＰＵ３１に伝達するＤＡＡ  Ｉ／Ｆ３５が接続されている。
【００５１】
ＤＰＲＡＭ３４は、マルチポートメモリの一種でランダムにアクセスできるポートが２つ用意されたＲＡＭであり、ＦＡＸ１２とＣＰＵ３１との間で、データの受け渡しを行う。
【００５２】
上記定電圧制御回路１４は、図３に示すように、定電圧生成部５０、充放電部６０及び電圧出力部７０から構成され、定電圧生成部５０へのプラグ２１からの商用交流電力とＰＳＵ３からの電圧Ｖ１の電力及び充放電部６０へのパーソナルコンピュータＰＣからのＵＳＢ供給電力がそれぞれ供給されて、電圧Ｖ２と電圧ＢＡＴ１を生成する。
【００５３】
定電圧生成部５０は、トランス５１、ダイオードブリッジ５２、整流コンデンサ５３、スイッチングレギュレータ５４及び平滑コンデンサ５５等を備えており、トランス５１にプラグ２１から商用交流電力が供給される。定電圧生成部５０は、トランス５１を介して入力される商用交流電力をダイオードブリッジ５２及び整流コンデンサ５３によって整流し、スイッチングレギュレータ５４がＲＤＥＴ１３からの切り替え信号ＳＷ４によってＰＷＭ（Pulse Wide modulation:パルス幅変調）制御することで、平滑コンデンサ５５によって直流電圧を生成して、充放電部６０に供給する。定電圧生成部５０の生成する直流電圧は、出力電流として、２Ａ程度のサブ電流を供給するもので、平滑化は粗くてもよく、回路構成は簡素化されている。
【００５４】
充放電部（充電手段、ＵＳＢ電力取り込み手段）６０は、スイッチ６１、充放電制御回路６２、第１電池６３、充放電制御回路６４、第２電池６５及び電圧検知回路６６等を備えており、スイッチ６１の切り替え端子６１ａに定電圧生成部５０からの直流電圧が供給される。スイッチ６１のもう１つの切り替え端子６１ｂには、ＵＳＢ供給電力の電圧ＵＢＡＳが供給され、スイッチ６１は、ＲＤＥＴ１３からの切り替え信号ＳＷ３に応じて、切り替え切片６１ｃを切り替え端子６１ａと切り替え端子６１ｂに切り替えて接続して、定電圧生成部５０の生成した直流電圧またはＵＳＢ供給電力の電圧ＵＢＡＳを選択的に充放電制御回路６２に供給する。なお、スイッチ６１の切り替え切片６１ｃのデフォルト位置は、定電圧生成部５０側となっている。
【００５５】
充放電制御回路６２には、第１電池６３（電池手段、蓄電電池機能部）と充放電制御回路６４が接続されており、充放電制御回路６４には、第２電池６５（電池手段、電力供給電池機能部）が接続されているとともに、第２電池６５と充放電制御回路６４との間から電圧ＢＡＴ１が取り出されて、この電圧ＢＡＴ１の出力電圧を電圧検知回路６６が検出して、検出信号ＤＥＴ２、ＤＥＴ３をＲＤＥＴ１３に出力する。電圧検知回路６６は、電圧ＢＡＴ１のみで駆動する回路（図９の縦線ブロック）に有効な電圧スレッシュ、第２電池６５を利用した電圧Ｖ２を必要とする回路（図１１の横線ブロック）の電圧スレッシュ、第２電池６５が充電完了した電圧スレッシュを検知して検出信号ＤＥＴ２、検出信号ＤＥＴ３としてＲＤＥＴ１３に通知する。
【００５６】
ＵＳＢ供給電力は、ＵＳＢ通信が初期化中においては１００ｍＡ、通信中においては５００ｍＡになるように、充放電制御回路６２内の定電流回路に引き込まれ、引き込まれた電流のうち、充放電制御回路６４経由で電圧出力部７０から電圧Ｖ２として供給する電流の余り分が、第１電池６３の充電に使用される。電圧出力部７０側に供給する電流が、充放電制御回路６２からの電流だけでは足りなくなると、その差分（図１７の破線領域Ｂや突入電流等の枯渇する電流）を第２電池６５から供給する。そして、電圧検知回路６７は、このＵＳＢ供給電力の給電電圧ＶＢＵＳを検出して、検出信号ＤＥＴ４をＲＤＥＴ１３に出力する。
【００５７】
電圧出力部（電圧供給手段）７０は、ダイオード７１、スイッチ７２及び電圧検知回路７３等を備えており、ＰＳＵ３から電圧Ｖ１が供給される。電圧出力部７０は、ＰＳＵ３からの電圧Ｖ１をダイオード７１で整流して、充放電制御回路６４からの電流とワイアードオアすることで、スイッチ７２を介して電圧Ｖ２として、複合装置１の必要な各部（ネットワークＩ／Ｆ８、ＮＩＣ７、ハブ９、大容量不揮発メモリ１０、ＵＳＢ  Ｉ／Ｆ１１、ＦＡＸ部１２及び操作部１８等）にスイッチ７２を介して供給する。そして、電圧検知回路７３は、ＰＳＵ３からの電圧Ｖ１の電圧値を検出して、検出信号ＤＥＴ４をＲＤＥＴ１３に出力する。
【００５８】
スイッチ７２は、ＲＤＥＴ１３からの切り替え信号ＳＷ２によってオン／オフされる。
【００５９】
そして、上述のように、電圧Ｖ１、第２電池６５の電圧ＢＡＴ１、ＵＳＢ供給電力の電圧ＶＢＵＳは、それぞれ電圧検知回路６６、６７、７３で検出され、電圧検知回路６６、６７、７３は、予め決められた規定以上の電圧の場合に、検知信号ＤＥＴ１〜ＤＥＴ４をアクティブにする。
【００６０】
そして、上記充放電制御回路６２及び充放電制御回路６４は、図４に示すように回路構成されている。充放電制御回路６２は、電流検知部８１、定電流回路８２、充電回路８３、放電回路８４及びダイオード８５等を備え、充放電制御回路６３は、ダイオード９１、９２、充電回路９３、放電回路９４及び電流検知部９５等を備えている。充放電制御回路６２及び充放電制御回路６４においては、電池６３、６５が充電回路８３、９３側から充電される電流方向と、電池６３、６５から放電回路８４、９４側へと放電される電流方向とが、逆流しないように整流されている。電池６３、６５によっては制限抵抗と整流ダイオードだけの簡単な構成であっても問題ないものもあるが、充電回路８３、９３としては、充電電流のリップルを下げたり、電池電圧に応じて充電電流を変えたりする回路構成が取られているものであってもよい。放電回路８４、９４は急激な放電を避けるために、電流制限する回路構成が行われていてもよい。充放電制御回路６２、６４は、図４では、ダイオード８５、９１、９２のみが示されているが、実際には、トランジスタ、コンデンサまたは電流ＩＣ（Integrated Circuit）を組合せた回路構成になる。
【００６１】
充放電制御回路６２は、スイッチ６１からの入力電流Ｉａを、電流検知部８１を通して定電流回路８２に引き込んで、充電回路８３とダイオード８５に分岐して流し、充電回路８３によって第１電池６３に充電する。定電圧生成部５０のスイッチングレギュレータ５４をＲＤＥＴ１３からの切り替え信号ＳＷ４によってＰＷＭ制御する場合には、各回路の最大電流まで、ＵＳＢ通信の場合には、ＵＳＢ初期化中では１００ｍＡ、初期化終了後では５００ｍＡまで引き込まれるように電流検知部８１からのフィードバックで定電流回路８２の出力インピーダンスが調整されている。第１電池６３の充電電流は、電流Ｉａから充放電制御回路６４に流れる電流を差し引いた電流となる。
【００６２】
充放電制御回路６４からスイッチ７２への出力は、スイッチ６１からの入力、第１電池６３及び第２電池６５からの出力だけにしてもよいし、複合装置１の電圧Ｖ１が入っているときに第２電池６５を充電するように、図４に示すように、充電回路９３に整流のためのダイオード９２を介して電圧Ｖ１を接続してもよい。このようにすると、電圧Ｖ１がオンのときは、スイッチ７２へ出力される電流Ｉｂは、供給する回路が引き込む電流であり、図３の回路構成では、電位差の関係から電圧Ｖ１から全て供給されるようになる。スイッチ６１から入力があるときは、全て第１電池６３に充電され、第２電池６５は電圧Ｖ１で充電される。
【００６３】
充放電制御回路６４は、電圧Ｖ１が接続されていない場合や電圧Ｖ１が落ちている場合、スイッチ７２へ引き込まれる電流ＩｂがＵＳＢ通信中の制限された電流Ｉａでまかないきれないときには、電流Ｉａ＝Ｉｂかつ第１電池６３への充電なしの状態になり、第２電池６５の電荷が放電回路９４を通じて、スイッチ７２に供給される。ダイオード９１と定電流回路９５は、整流と過電流保護、必要に応じて電圧変換を行う。定電流回路９５は、スイッチ７２から供給する回路で突入電流が発生する場合にも、急速に電流供給を行えるように、コンデンサ等を備えている。
【００６４】
充放電制御回路６２の放電回路８４と充放電制御回路６４の充電回路９３は、スイッチ６１からの入力電流Ｉａがなく（電流検知部８１で検出してフィードバックしてハードウェアで自動的に動作するようにしてもいい）、かつ、スイッチ７２へ引き込まれる電流Ｉｂがないとき（電圧Ｖ１なし、ＳＷ２がオフのとき）に動作して、第１電池６３の蓄電力を第２電池６５に流して、第２電池６５を充電する。この状態は、ＣＰＵ３１で検知してもよいし、電流値に応じてハードウェアで自動的に切り替わるように調整してもよい。
【００６５】
この場合、図４の接続状態において、第１電池６３→放電回路８４→ダイオード９１→充電回路９３→第２電池６５の経路だけがアクティブになり、各電池６３、６５の容量、電位差によって、第１電池６３から第２電池６５への電荷の移動は充分かつ急速に行えるよう調整することができる。
【００６６】
また、充放電制御回路６４に電圧Ｖ１が供給されているときには、メイン電源として電流の供給能力が充分あり、充電回路９３から第２電池６５を充電することができる。ところが、省電力効果を高めるために、電圧Ｖ１は、こまめにオフされ、第２電池６５が充分充電されないことがあるが、この場合、電圧Ｖ２を供給する回路の電流量に比較して、第２電池６５の容量を充分取ると、コストアップになる。
【００６７】
そして、複合装置１は、ＵＳＢ通信の場合には、スイッチ６１からの引き込み電流Ｉａが、電圧Ｖ１によりダイオード９１側には流れず、上述のように、充電回路８３を通して第１電池６３を充電し、通常プリント動作の場合には、図１６及び図１７に示したレディタイミングで、スイッチ６１から電流を引き込むことができる。
【００６８】
また、複写装置１は、切り替え信号ＳＷ４のＰＷＭ制御をオン／オフしているが、電圧Ｖ１を充放電制御回路６４に接続している場合には、複合装置１全体の消費電力を考慮してオフ期間を無くすか、短くする。また、複写装置１は、電圧Ｖ１を接続していない場合であって、かつ、第１電池６３の容量が取り込む電流に対して比較的小さい場合や第２電池６５の充電レベルを検知する電圧検知回路を追加して充電量が充分でない場合には、ＰＷＭ制御のオフ期間に第２電池６５へ電荷の移動を行うようにする。
【００６９】
すなわち、複写装置１は、電圧Ｖ１を接続した場合でも、電圧Ｖ２に別回路で電圧Ｖ１に接続したり、プリント動作時にスイッチ７２をオフしたり、ダイオード９１の接続先を充電回路９３だけに切り替えるようにすることで、時分割に充放電を行う。
【００７０】
また、複写装置１は、昼休み、夜間、休日のＦＡＸ受信がないときにスリープモード２へ移行したとき等のように電圧Ｖ１が供給されないときには、第２電池６５の充電量を判断して充分でないと、プラグ２１が商用交流電源のコネクタに接続されていれば、スイッチングレギュレータ５４を切り替え信号ＳＷ４でＰＷＭ制御し、スイッチ６１から電流を引き込むことができる。このようにすると、第１電池６３に一次充電し、第２電池６５に転送して第２電池６５を充電することができる。この場合、ＰＷＭ制御を、図１７に示したように、オフ期間をプリント動作時に比較して、充分長く取るようにすると、平均の消費電流を低く抑えることができ、また、電気料金や設定の電源事情、時刻によって調整する場合には上記オフ期間を調整することで、適宜対応することができる。
【００７１】
本実施例の複合装置１は、電圧Ｖ２が供給される回路を、ＰＳＵ３をオンすることなく、できるだけ第２電池６５でまかなうようにするために、第２電池６５としては、比較的大容量の電池を用いている。そのため、第２電池６５の充電時間が比較的長い場合が多く、第１電池６３は、比較的小容量の電池で、スイッチ６１からの電流を急速に引き込めるようにし、バッファ的に使用して、スイッチ６１の電流を、スイッチ７２に必要な分については供給する。なお、第１電池６３の容量をアップすると、回路構成を比較的簡単にするため、スイッチ６１からの電流は全て第１電池６３に取り込み、複合装置１がスリープ時に第２電池６５に転送するようにしてもいい。また、複写装置１は、回路の使用電流、複合装置１がどれだけ頻繁に使用されるかにより大きく変わるが、第１電池６３が、２５０ｍＡｈ、第２電池６５が、１．５Ａｈであれば動作が可能であり、この場合、第１電池６３、第２電池６５の種別、電流容量、出力電流等から、充電回路８３、９３、放電回路８４、９４または図４の回路構成自体から微調整が必要である。
【００７２】
なお、上記第１電池６３は、キャパシタであってもよい。第１電池６３として、キャパシタを用いると、一次充電をより急速に行うことができ、また、第２電池６５への転送に切り替える際にも、待ち時間を少なくすることができる。その結果、さらに、切り替え信号ＳＷ４のＰＷＭ制御タイミングを比較的容易なものとすることができ、プリント動作時にスイッチ６１からより多くの電流を取り込むことができる。また、スイッチ７２から供給する回路で突入電流が発生する場合に、急速に電流供給するために急速放電できるように回路工夫することで、定電流回路９５を簡略化することができる。
【００７３】
また、本実施例の複合装置１は、電池として、第１電池６３と第２電池６５を個別に装備しているが、電池構成としては、上記構成に限るものではなく、例えば、複数のセルからなる１つの電池で構成してもよい。このようにすると、蓄電部分のメカニカル機構を安全上容易な構造にすることができる。また、電池の構成内に、図３や図４に示す充放電制御回路６２、６３の組み込める回路部分を電池内に組み込んだ構成としてもよい。
【００７４】
次に、本実施例の作用を説明する。本実施例の複合装置１は、パーソナルコンピュータＰＣからのＵＳＢ供給電力を有効に利用し、ＵＳＢ供給電力が足りないときには、第２電池６５から電力補充して、ＵＳＢ供給電力が利用できないときに第２電池６５からの電力だけで動作させて省電力を効率的に行う。以下、この電力管理処理を、図５から図８のフローチャートに基づいて説明する。
【００７５】
すなわち、複合装置１は、第２電池６５の電圧ＢＡＴ１によってＣＰＵ３１を駆動すると、ＣＰＵ３１が、ＦＲＯＭ３２に格納されたプログラムに基づいて動作し始め、図５に示すように、電圧検知回路６６の出力する検知信号ＤＥＴ２、ＤＥＴ３に基づいて、第２電池６５の充電が完了（電圧ＢＡＴ１の充電が完了）しているかチェックする（ステップＳ１０１）。ＵＳＢ３１は、この第２電池６５の充電が完了しているか否かを、ＤＥＴ２、ＤＥＴ３の信号によって判断することができる。
【００７６】
ステップＳ１０１で、充電が完了していないときには、ＣＰＵ３１は、スイッチ６１の切り替え切片６１ｃのデフォルト位置が、定電圧生成部５０側となっているので、スイッチングレギュレータ５４がＲＤＥＴ１３からの切り替え信号ＳＷ４によってＰＷＭ制御して（ステップＳ１０２）、定電圧制御部５０からの商用交流電源を整流した整流電圧によって充放電制御回路６２、第１電池６３及び充放電制御回路６４を介して第２電池６５を充電させ（ステップＳ１０２）、第２電池６５の充電を該充電が完了するまで継続するが、コード２１がコンセントに接続されていない場合等を考慮して、予め設定されている充電待ち時間をタイムオーバーしたかチェックする（ステップＳ１０３）。ステップＳ１０３で、タイムオーバーしていないときには、ＣＰＵ３１は、ステップＳ１０１に戻って、充電が完了したかのチェックから上記同様に処理し（ステップＳ１０１〜Ｓ１０３）、タイムオーバーすると、アボートして処理を終了する。なお、第２電池６５の電圧ＢＡＴ１が低い場合には、ＣＰＵ３１が起動できる回路だけに第２電池６５の電圧ＢＡＴ２を供給し、充電完了後に、電圧ＢＡＴ１で動作する他の回路（例えば、ＲＴＣ１５、人体検知部１６、操作部１８等）を全て機能させるようにしてもよい。ＲＤＥＴ１３が、低消費電力ＩＣの場合には、第２電池６５の容量が枯渇する直前であっても動作できる電流を供給することができる。
【００７７】
ステップＳ１０１で、バッテリの充電が完了すると、ＣＰＵ３１は、電圧Ｖ１がＣＰＵ３１の制御以外でオンしたかチェックする（ステップＳ１０４）。すなわち、ＣＰＵ３１は、上述のように、電圧Ｖ１のオン／オフを切り替え信号ＳＷ１で制御することができるが、ＣＰＵ３１から出力した切り替え信号ＳＷ１以外のユーザがメイン電源スイッチ２をオンしたり、ソフト電源キー（無条件でスリープ解除するボタン）をオンしたとき、ＣＰＵ３１が初めて駆動したとき等が分からないため、電圧Ｖ１がＣＰＵ３１の制御以外でオン（アクティブ）になったかを、ＤＥＴ１信号で判断する。
【００７８】
ＣＰＵ３１は、ステップＳ１０４で、電圧Ｖ１がアクティブでないときには、ユーザがメイン電源スイッチ２をオンする動作をしておらず、スリープ状態であると判断して、スリープ復帰要因（操作部１８のキー操作、ＦＡＸ受信の発生、ＡＤＦ／ＦＢ１７への原稿のセット等）が発生したかチェックする（ステップＳ１０５）。
【００７９】
ステップＳ３１は、ステップＳ１０５で、スリープ復帰要因が発生していないときには、スリープ状態のイベント待ち状態となって、ステップＳ１０１に戻って、上記同様の処理を行う（ステップＳ１０１〜Ｓ１０５）。
【００８０】
この状態においては、図９の縦線ブロックのみに、定電圧制御回路１４から電圧ＢＡＴ１の電力が供給されて駆動されている。
【００８１】
ステップＳ１０４で、電圧Ｖ１がアクティブになると、ＣＰＵ３１は、ユーザが印刷動作等を行わせるために、メイン電源スイッチ２やソフト電源キーをオン操作して、メイン電源であるＰＳＵ３に商用交流電源の供給を開始したと判断して、切り替え信号ＳＷ２をオンにする（ステップＳ１０６）。
【００８２】
このときの電力供給状況は、まず、電圧Ｖ１がアクティブになると、複合装置１は、図９の縦線ブロックのみ電圧ＢＡＴ１が供給されていた状態から、図１０に示すように、電圧Ｖ１で駆動する回路（プロッタ４、画像処理部５、コントローラ６、ＡＤＦ／ＦＢ１７、スキャナ１９及びＩＯ制御部２０等）に電力が供給されて駆動されている状態となる。そして、ＣＰＵ３１は、電圧Ｖ１がアクティブになったことを検出すると、切り替え信号ＳＷ２をオンにして、スイッチ７２をオンにすることで、図１１に示すように、第２電池６５の電圧Ｖ２を、電圧Ｖ２で駆動する回路（ＮＩＣ７、ネットワークＩ／Ｆ８、ハブ９、大容量不揮発メモリ１０、ＵＳＢ  Ｉ／Ｆ１１、ＦＡＸ部１２及び操作部１８の一部等）に供給する。なお、この状態では、スキャナ１９、プロッタ４の大電流を消費する部分は、駆動を開始しないようにＩＯ制御部２０で制御する。
【００８３】
次に、ＣＰＵ３１は、操作部１８の操作画面等の操作によってプリンタモードが選択されたか否かをチェックする（ステップＳ１０７）。このプリンタモードの選択は、例えば、ＦＡＸ部１２経由でコントローラ６によってＣＰＵ３１に通知される。
【００８４】
ステップＳ１０７で、プリンタモードが選択されると、ＣＰＵ３１は、図６に示すように、電圧Ｖ１で動作するプロッタ４の全ての電力をオンにしてプリント動作を開始する（ステップＳ１０８）。このときのプリント動作は、複合装置１の通常のプリント動作処理である。
【００８５】
そして、図５のステップＳ１０７で、プリンタモードが選択されずにプリントモード以外のモードが選択されたときには、ＣＰＵ３１は、電圧Ｖ１で動作するスキャナ１９の全ての電力をオンにして、スキャナ１９のイニシャライズ動作を開始し（ステップＳ１０９）、コピーモードが選択されたかチェックする（ステップＳ１１０）。
【００８６】
ステップＳ１１０で、コピーモードが選択されると、ＣＰＵ３１は、図６のステップＳ１０８に移行して、電圧Ｖ１で動作するプロッタ４の全ての電力をオンにしてプリント動作を開始する（ステップＳ１０８）。
【００８７】
コピーの場合には、ユーザが原稿をＡＤＦ／ＦＢ１７にセットして、操作部１８のスタートボタンを押下し、プリントの場合には、大容量不揮発メモリ１０に蓄積されているデータを選択して、プリント開始を指示する操作部１８のスタートボタンを押下する。
【００８８】
ＣＰＵ３１は、プリント動作を開始すると、コントローラ６が１頁目エンドをＣＰＵ３１に通知してくるのを待って、すなわち、１頁目のプリント動作が終了するのを待って（ステップＳ１１１）、第２電池６５の充電が完了（電圧ＢＡＴ１の充電が完了）しているかチェックする（ステップＳ１１２）。
【００８９】
ステップＳ１１２で、電圧ＢＡＴ１の充電が完了していないときには、ＣＰＵ３１は、切り替え信号ＳＷ４によってＰＷＭ制御して第２電池６５を充電し（ステップＳ１１３）、全ての頁のプリントが完了したかチェックする（ステップＳ１１４）。ステップＳ１１２で、電圧ＢＡＴ１の充電が完了しているときには、ＣＰＵ３１は、第２電池６５の充電を行うことなく、全ての頁のプリントが完了したかチェックする（ステップＳ１１４）。
【００９０】
ステップＳ１１４で、全ての頁のプリントが完了していないときには、次の頁（ｎ頁）目のプリント動作を開始して（ステップＳ１１５）、切り替え信号ＳＷ４をオフにし（ステップＳ１１６）、ｎ頁目のプリントが完了するのを待って（ステップＳ１１７）、ステップＳ１１２に戻って、電圧ＢＡＴ１の充電が完了したかのチェックから上記同様に処理して、電圧ＢＡＴ１の充電状態のチェックと第２電池６５の充電及びプリント動作を頁毎に繰り返し行う（ステップＳ１１２〜Ｓ１１７）。
【００９１】
この複合装置１によるコピー時の一般的な消費電力の推移は、図１２のように示すことができ、スリープモードからメイン電源であるＰＳＵ３の立ち上げを行って、１頁目のコピーを開始する。複合装置１は、１頁目のコピーが完了すると、レディ期間（準備期間）をおいて、次の頁のコピーを行うという動作を繰り返し行う。このコピー動作においては、印刷中は、プロッタ４の定着部の定着ヒータがオンするため、複合装置１における最大の電力を消費するが、１頁分のコピー動作と次頁のコピー動作の間であるレディ期間では、定着ヒータはオフするが、モータ駆動等は行っているため、消費電力は、頁印刷時よりは多少少なくなる。
【００９２】
ＰＳＵ３のメイン電源としては、この期間が電力効率のよい状態であり、本実施例の複合装置１は、このレディ期間を第２電池６５の充電期間として、切り替え信号ＳＷ４によって第２電池６５の充電を行っている。
【００９３】
なお、第２電池６５の充電期間は、上記レディ期間に限るものではなく、複合装置１によって適切なタイミングを、例えば、消費電力の推移を実験的に調べる等の方法で決定して、充電期間を設定することが望ましい。
【００９４】
例えば、スリープモードにおいて、第２電池６５を充電する場合、スリープモード時の消費電力が増えるため、プリント動作中に充電を行うのが消費電力を最も削減することができる。すなわち、充電電流はプリント動作中の複合装置１全体の消費電力に比較して十分に低いため、プリント動作中に充電を行う方が消費電力を削減しつつ充電することができる。
【００９５】
そこで、本実施例の複合装置１は、スリープモードでは、第２電池６５を満充電まで充電することなく、印刷動作において、満充電するようにしてもよい。この場合、スリープモードでは、第２電池６５を利用した電圧Ｖ２が、ステップＳ１０１におけるアクティブかどうかの判断基準を、満充電の判断基準を用いず、印刷動作等に必要な電圧を電圧供給手段Ｖ２がアクティブかどうかの判断基準に用い、印刷動作では、ステップＳ１１２での充電判断基準を、第２電池６５の満充電が完了したどうかの判断基準を用いる。この判断基準は、プロッタ４の性能と電圧Ｖ２が供給される回路の消費電流等から実験的に求め、複合装置１として一義的に定めることができる。複合装置１は、ＣＰＵ３１の制御下で、図１３に示すように、印刷ページ中は、切り替え信号ＳＷ４をオフ（ＰＷＭ動作も停止）にして、第２電池６５への充電を停止し、アイドル期間のみ切り替え信号をオンにして、第２電池６５への充電を行う。
【００９６】
そして、ステップＳ１１４で、全頁の印刷が終了すると、ＣＰＵ３１は、図７に示すステップＳ１１８に移行して、複合装置１の通常の待機状態に移行する（ステップＳ１１８）。
【００９７】
この通常の待機状態においては、図１２に示すように、待機状態が暫く続くと、オフしたときよりも比較的早く印刷起動ができる、いわゆる予熱状態にする低電力モードが一般的である。そこで、ＣＰＵ３１は、予め設定されている低電力モード移行タイマにより低電力モード移行タイミングになるのを待って（ステップＳ１１９）、低電力モードに移行すると、スキャナ１９、プロッタ４をオフする（ステップＳ１２０）。このスキャナ１９及びプロッタ４のオフ制御は、ＣＰＵ３１が行うのではなく、コントローラ６が制御を行い、ＣＰＵ３１に通知する。
【００９８】
複合装置１は、この低電力モードが、予め設定された時間継続すると、さらに低消費電力であるスリープモードに移行するのが一般的であるが、本実施例の複合装置１は、さらに、スリープモードを第１スリープモードＳｍ１と第２スリープモードＳｍ２の２段階に設定し、一段階目の第１スリープモードＳｍ１では、切り替え信号ＳＷ１のみをオフにして、図１１の状態から図１０の状態に移行する。
【００９９】
そこで、コントローラ６は、スキャナ１９及びプロッタ４がオフされると、第１スリープモードＳｍ１への移行待ちタイマであるスリープタイマＴ１がタイムオーバーしたかチェックし（ステップＳ１２１）、タイムオーバーしていないときには、操作部１８での操作やファクシミリ受信等の受信に速やかに応答できるように、操作または受信があったかをチェックする（ステップＳ１２２）。この通常待機状態では、コントローラ６が対応できるため、ＣＰＵ３１は、関与せず、コントローラ６が処理する。
【０１００】
ステップＳ１２１で、スリープタイマＴ１がタイムオーバーすると、切り替え信号ＳＷ１をオフにして、第１スリープモードＳｍ１に移行し（ステップＳ１２３）、この第１スリープモードＳｍ１に移行すると、第２スリープモードＳｍ２に移行するＲＤＥＴ１３内に設けられている第２スリープタイマＴ２がタイムアップしたか（ステップＳ１２４）、ユーザ操作、ＮＩＣ７でのネットワーク受信あるいはＦＡＸ部１２でのファクシミリ受信があったかをチェックする（ステップＳ１２５）。
【０１０１】
ステップＳ１２４で、操作や受信がなく、第２スリープタイマＴ２がタイムオーバーすると、ＣＰＵ３１は、切り替え信号ＳＷ２をオフにして、図９に示す電圧ＢＡＴ１のみの待ち状態である第２スリープモードＳｍ２に移行する（ステップＳ１２６）。この待ち状態においては、ＰＳＵ３の漏れ電流を最小限に抑制すると、商用交流電力を全く使用しないモードとなる。
【０１０２】
そして、図５のステップＳ１１０で、コピー選択されていないときには、ＣＰＵ３１は、図７のステップＳ１２７に移行して、ユーザがメイン電源スイッチ２やソフト電源キーを入れた場合のＦＡＸ送信、スキャン送信、データ蓄積、ＮＩＣ／ＵＳＢからの受信のモードであるので、電圧Ｖ１がオンした複合装置１の通常動作であるため、コントローラ６や操作部１８からの通知に基づいて、これらの動作推移を監視する動作を行う。ところが、誤操作や操作をやめた場合もあるため、動作を促す有効なキー操作があるか否かを、コントローラ６で監視し、タイムオーバーすると通常の機能動作に移行する。そこで、ＣＰＵ３１は、予め設定されているキー待ちタイマがタイムオーバーしないか（ステップＳ１２７）、ＵＳＢ通信は終了したか（ステップＳ１２８）、通常機能動作が終了したか（ステップＳ１２９）をチェックして、いずれかの状態を検知するまで処理を繰り返す。
【０１０３】
なお、ＣＰＵ３１は、複合装置１が通常機能動作を行っている場合には、常に電圧Ｖ１を監視し、ユーザが通常機能動作中に電源がオフしたり、停電や電源コードが抜けてしまったりした場合には、アボートして、スタートに戻る。また、ＵＳＢ通信が終了すると、コントローラ６からＣＰＵ３１に通知がある。
【０１０４】
そして、ステップＳ１２７でタイムオーバーするか、ステップＳ１２９で、通常機能動作が終了すると、ＣＰＵ３１は、通行待機状態に移行して（ステップＳ１１８）、以降、上記同様の処理を行う（ステップＳ１１８〜Ｓ１２６）。
【０１０５】
また、ステップＳ１１８からステップＳ１２６の処理において、ステップＳ１２２またはステップＳ１２５で、操作または受信等の復帰要因が発生すると、ステップＳ１２７に戻って、キー待ちタイマのチェックから上記同様に処理する（ステップＳ１２７〜Ｓ１２９）。
【０１０６】
そして、図５のステップＳ１０５で、ＣＰＵ３１は、電圧Ｖ１がアクティブになっていない状態で、ユーザによってメイン電源スイッチ２がオンされたり、ソフト電源キーが入れた等のスリープ復帰要因が発生したときには、切り替え信号ＳＷ２をオンにし（ステップＳ１３０）、復帰キーが押下されたかチェックする（ステップＳ１３１）。
【０１０７】
ステップＳ１３１で、復帰キーが押下されていると、ＣＰＵ３１は、ステップＳ１０７に移行してプリンタ選択されたかのチェックから上記同様に処理する（ステップＳ１０７〜Ｓ１３１）。
【０１０８】
ステップＳ１３１で、復帰キーが押下されていないときには、ＣＰＵ３１は、ＵＳＢ通信であるか否かをＵＳＢ供給電力の電圧ＶＢＵＳを電圧検知回路６７が検出して出力するＤＥＴ４によってチェックし（ステップＳ１３２）、ＵＳＢ通信でないときには、ファクシミリ通信（ＦＡＸ通信）であるかチェックする（ステップＳ１０９）。
【０１０９】
ステップＳ１０９で、ファクシミリ通信でないときには、ＣＰＵ３１は、通常のＮＩＣ通信（ネットワーク通信）を開始し（ステップＳ１３４）、ファクシミリ通信のときには、プログラム通信を開始する（ステップＳ１３５）。ＣＰＵ３１は、ネットワーク通信またはファクシミリ通信を開始すると、即時出力であるか否かチェックし（ステップＳ１３６）、即時出力の場合には、図６のステップＳ１０８に移行して、受信データをバッファリングして、バッファリングしたデータを、上記同様に、プロッタ４で印刷出力する（ステップＳ１０８〜Ｓ１１７）。この場合、上記同様に、印刷出力を行いつつ、レディタイムに第２電池６５への充電を行う。
【０１１０】
そして、ステップＳ１３６で、即時出力でないときには、ＣＰＵ３１は、切り替え信号ＳＷ２をオフにして、受信したデータを大容量不揮発メモリ１０に蓄積して、通信が完了すると、切り替え信号ＳＷ２をオフにして、第２スリープモードＳｍ２を継続する（ステップＳ１３７）。
【０１１１】
すなわち、夜間や休日には一定量の受信やデータがくるまでは即時印刷を行わない設定とし、受信したデータを大容量不揮発メモリ１０に保存することで、消費電力を削減することができる。
【０１１２】
そして、ステップＳ３１２で、ＵＳＢ通信が発生すると、ＣＰＵ３１は、図８のステップＳ１３８に移行し、切り替え信号ＳＷ３を定電圧制御回路１４に出力して、スイッチ６１の切り替え切片６１ｃを定電圧生成部５０側の切り替え端子６１ａから電圧ＶＢＵＳ側の切り替え端子６１ｂに切り替え（ステップＳ１３８）、パーソナルコンピュータＰＣからのＵＳＢ供給電力によって充放電制御回路６２を介して第１電池６３の充電を開始する（ステップＳ１３９）。そして、ＣＰＵ３１は、通常のＵＳＢ通信を開始して（ステップＳ１４０）、ＵＳＢ通信が終了したかチェックし（ステップＳ１４１）、ＵＳＢ通信が終了していないときには、ＵＳＢ供給電力による第１電池６３の充電を継続しながらＵＳＢ通信を行う処理を継続する（ステップＳ１３９〜Ｓ１４１）。複合装置１は、このＵＳＢ通信においては、ＵＳＢ通信データは、大容量不揮発メモリ１０にバッファリングし、図１に示したように、このバッファリングの経路も含めてＵＳＢ通信経路は、全て電圧Ｖ２で動作する設定となっている。
【０１１３】
このとき、充放電制御回路６２は、ＵＳＢ供給電力を初期化中においては、１００ｍＡ、通信中においては、５００ｍＡを取り込めるよう第１電池６３に電流を取り込む。図１７に示した破線部分Ｂや突入電流等の枯渇する電流を第２電池６５で供給するように回路調整されている。なお、第１電池６３に余りの電荷が溜まっている場合があるが、切り替え信号ＳＷ３がデフォルト（定電圧生成部５０側）に戻って、入出力電流が切れると、ハードウェアで、第１電池６３の電荷を自動的に第２電池６５に放電して第２電池６５を充電する。
【０１１４】
ステップＳ１４１で、ＵＳＢ通信が終了すると、ＣＰＵ３１は、切り替え信号ＳＷ３を定電圧制御回路１４に出力して、スイッチ６１の切り替え切片６１ｃを定電圧生成部５０側に戻し（ステップＳ１４２）、即時出力を行うのかチェックする（ステップＳ１４３）。ステップＳ１４３で、即時出力を行うときには、ＣＰＵ３１は、図６のステップＳ１０８に移行して、ＵＳＢ受信データを、上記同様に、プロッタ４で印刷出力する（ステップＳ１０８〜Ｓ１１７）。この場合、上記同様に、印刷出力を行いつつ、レディタイムに第２電池６５への充電を行う。
【０１１５】
ステップＳ１４３で、即時出力を行わないときには、すなわち、データ蓄積のみであれば、ＣＰＵ３１は、電圧Ｖ１がアクティブであるかチェックし（ステップＳ１４４）、電圧Ｖ１がアクティブでないときには、切り替え信号ＳＷ２をオフにして、電圧Ｖ２の供給も停止して、第２スリープモードＳｍ２を継続する（ステップＳ１４５）。
【０１１６】
ステップＳ１４４で、ユーザがメイン電源スイッチ２やソフト電源キーを入れて、電圧Ｖ１がアクティブであると、図７のステップＳ１１８の通常待機状態に移行する。
【０１１７】
なお、上記説明においては、第２電池６５への充電量を、電圧ＢＡＴ１に基づいて決定している。すなわち、電圧検知回路６６の検出する検知信号ＤＥＴ２、ＤＥＴ３に基づいて、電圧ＢＡＴ１のみで駆動する回路に有効な電圧スレッシュ、第２電池６５を利用した電圧Ｖ２が必要な電圧スレッシュ、充電完了した電圧スレッシュを判断して、そのスレッシュを検知して、ＣＰＵ３１が、充電量を調整している。
【０１１８】
充電量の決定方法としては、上記方法に限るものではなく、例えば、これら３つのスレッシュのほかに、第２電池６５を利用した電圧Ｖ２が充分な電圧スレッシュを設けてもよい。すなわち、必要な電圧スレッシュ以上であれば電圧Ｖ２は使用できるが、充分な電圧スレッシュ以上であれば予め決められた回数は動作可能なスレッシュを表すものとする。例えば、スリープモードから立ちあがり、ＵＳＢやＮＩＣ７からのデータ蓄積を行い、再度スリープモードに入ることを３回可能な充電量等とする。この充分な電圧スレッシュは、複合装置１の使用実績やユーザ設定により適宜変更可能とするには、検出信号ＤＥＴ２、３のビット数を増やして、充分な電圧スレッシュを変化可能とし、第２電池６５を利用した電圧Ｖ２が充分な電圧スレッシュを変更できるようにする。また、第２電池６５の電圧と使用電源との関係や電池を昇圧／降圧して使用する場合の電圧値から、一義的に、例えば、５０％充電を充分な電圧スレッシュと決定してもよい。さらに、充電量を積算する回路を追加して、電池駆動の電圧Ｖ２によって消費される回路構成から一義的に決まる単位時間当たりの電力をＦＲＯＭ３２に記憶しておいて、使用時間に応じて積算値を算出して充電量を判断してもよい。また、電圧Ｖ１がオンしているときの充電量もＦＲＯＭ３２に記憶し、複合装置１のオン／オフ時間に応じて第２電池６５の充電量を算出してもよい。この場合、第２電池６５の充電が完了したとき、または、ある電圧のスレッシュを切ったときから充電量の積算を開始することで、正確に充電量を算出することができる。この充電量に対して、予めユーザ設定で調整された量（いずれも全容量の％テージ）を下回るかどうかを判断する。
【０１１９】
また、複合装置１全体の使用頻度を計測する方法としては、例えば、電圧Ｖ１、電池駆動の電圧Ｖ２について、単位時間当たりのオン／オフ回数またはオンから次のオンまでの間隔を計測する。すなわち、ＣＰＵ３１は、第２スリープモードＳｍ２の移行／復帰、第２スリープモードＳｍ２時の電圧Ｖ２のみでの機能開始／第２スリープモードＳｍ２への移行を、それぞれタイムスタンプをＲＴＣ１５から取得することで、ＦＲＯＭ３２またはＳＲＡＭ３３の決められた領域に記録する。この場合、単位時間当たりの回数では以下のように記録される。
【０１２０】
平日    ０〜９時、１８時〜２４時；Ｖ１：０．０、Ｖ２：０．７
平日    ９時〜１２時、１３時〜１８時；Ｖ１：５．０、Ｖ２：２．０
平日    １２時〜１３時；Ｖ：１．０、Ｖ２：３．０
休日    ０時〜２４時；Ｖ１：０．０、Ｖ２：０．２
そして、ＣＰＵ３１は、例えば、Ｖ１＞Ｖ２、かつ、Ｖ１＞２．０のとき、第２電池６５を利用した電圧Ｖ２として、充分な電圧スレッシュを採用し、そうでない場合には充電完了した電圧スレッシュを選択する。
【０１２１】
さらに、複合装置１全体の使用頻度を計測する方法としては、時刻に応じた細かい設定を行ってもよい。この場合、例えば、電気料金が比較的高い昼間は、消費電力を抑制（すなわち、第２電池６５を利用した電圧Ｖ２が充分な電圧スレッシュを採用）し、電気料金が比較的安い夜間は、充電完了した電圧スレッシュを行う。
【０１２２】
また、複合装置１全体の使用頻度の計算方法としては、ＲＴＣ１５として、カレンダー機能を備えたものを用い、該カレンダー機能を利用して、ユーザが休日の設定をできるようにして、休日だけ充電完了するまで充電するようにしてもよい。
【０１２３】
さらに、上記タイムスタンプから電圧Ｖ１がオンする間隔、電圧Ｖ２がオンする間隔を求め、その平均値に所定値を乗じた間隔を次のオンの予測値とする。例えば、タイムスタンプから電圧Ｖ１がオンする間隔、電圧Ｖ２がオンする間隔の計測値の平均値に、１．２を乗じた間隔（平均値の１．２倍の間隔）を次のオンの予測値とする。そして、タイムスタンプから電圧Ｖ１がオンする間隔、電圧Ｖ２がオンする間隔と、これらから求めた予測値から、電圧Ｖ２がオンする前、電圧Ｖ１がオンする期間を充電期間として予定し、開始時刻と終了時刻を設定する。そして、ＣＰＵ３１は、ＲＴＣ１５を読み込んで、充電開始時刻になると、定電圧生成部５０による第２電池６５の充電を開始し、終了時刻がくるか、複合装置１としての機能要求が発生すると、充電を終了する。このときの要充電量は、スレッシュを切ったときからの予測によって、上記情報を取り込むことで算出して求めることができ、ＰＷＭ制御のオン／オフ間隔を短くして（最大はＰＷＭのオフ期間なし）、調整する。この場合には、ＣＰＵ３１は、定電圧生成部５０だけでなく、ＰＳＵ３をオンする必要のある省電力効果の省電力量と充電電力を使用するが、ＰＳＵ３をオンするよりも省電力効果がある場合などを細かく算出して制御する。上記制御を行うことで、使用頻度の多い複合装置１ほど、省電力効果を向上させることができる。なお、使用頻度自体が比較的少ない場合には、電圧Ｖ２を使用後すぐに充電を行うようにしてもよいが、ユーザ設定で選択可能としたり、上記計測結果から適宜に設定してもよい。
【０１２４】
さらに、本実施例の複合装置１は、第２電池６５の充電タイミング及び充電時間を、複合装置１全体の消費電力と充電電力との比率で決定してもよい。
【０１２５】
この場合、まず、ＣＰＵ３１によって、電圧Ｖ１を使用した複合装置１全体の消費電力量を算出する。この消費電力量は、例えば、ＰＳＵ３の交流電流の電流量を多ビットで検出し、ＣＰＵ３１に通知して、電圧Ｖ１、電流、効率から交流電流の消費電力を算出する。そして、ＣＰＵ３１は、第２電池６５の充電量を、電圧検知回路６６の検出信号ＤＥＴ２、ＤＥＴ３または多ビット化した検知信号により電池特性の放電レート特性を用いて予め求めることができ、電池電圧値と必要な充電電流（充電する電圧スレッシュ毎）の関係（飛び飛びの一覧表を予め作成してＦＲＯＭ３２に格納して参照してもよいし、方程式化してＣＰＵ３１が算出してもよい。）から、充電に使用する電力の予測値を算出する。
【０１２６】
そして、ＣＰＵ３１は、電圧Ｖ１がオンのときには、交流電流の電流量から求めた消費電力と充電電力との比率を算出し、予め設定されている比率以上の期間（図１２のレディ期間）にＰＷＭ制御をオンさせる。この場合、消費電力が最大になるプリント動作の定着ヒータがオンの期間に充電を行うか否かは、ＰＳＵ３と定電圧制御回路１４の定電圧生成部５０の１次２次回路の特性や実験等によって求めて、有効／無効を設定する。例えば、複合装置１の使用頻度が多い時間帯は、電圧Ｖ１がオンしたとき、図１２、図１３のコピー時間だけでなく、コピー終了時の待機時により多く充電するように設定すると、電圧Ｖ１がオンしたときだけで充電を行うことができる。
【０１２７】
また、ＣＰＵ３１は、電圧Ｖ１がオフのときであって、かつ、ＵＳＢ通信がないときには、充電電力だけになり、その電力量が予め設定されているスレッシュ以下になるようにユーザ選択する設定画面に表示したり、一義的に決めておいたりして、昼はＰＷＭオン／オフ間隔をいくつに、夜間はそれより間隔の短い設定にしてもよい。ユーザ設定によって、休日での充電電流を一日当たりいくらまで許容するかを数値入力できるようにし、それに相当する充電の時間だけ、一日の充電時間を制限してもよい。
【０１２８】
さらに、本実施例の複合装置１は、第２電池６５の充電タイミング及び充電時間を、周囲に人がいないタイミング及び時間に行うようにしてもよい。
【０１２９】
すなわち、複合装置１は、人体検知部１６を備えており、ＣＰＵ３１は、電圧Ｖ１がオンが予測されるタイミングであっても、人体検知部１６が人体を検知していない場合には、電圧Ｖ１がオンされないものと判断して、電圧Ｖ１でオフ時の充電最中であれば、充電を継続する。
【０１３０】
このように、本実施例の複合装置１は、複数の処理回路ブロック４〜１２、１５〜２０が異なる供給電力源からの供給電力によって動作する回路ブロックに分けられて所定の画像処理を実行するとともに、該処理回路ブロック４〜１２、１５〜２０のうち所定の処理回路ブロックへの電力供給を停止するスリープモードを有する場合に、直列接続されている所定容量の蓄電電池機能部である第１電池６３と電力供給電池機能部である第２電池６５を有し第１電池６３が充電された蓄電電力を第２電池６５に充電して第２電池６５から電力供給する電池６３、６５を充電する充放電回路６２、６４に対して、商用交流電力（外部交流電力）から比較的少量の直流電力の電圧Ｖ２を生成する定電圧生成部５０の生成する電力と、外部から供給されるＵＳＢ供給電力の電圧ＶＢＵＳと、をスイッチ６１で切り替えて供給して、充放電部６０及び電圧出力部７０によって、該スイッチ６１からの電力と第２電池６５からの電力を処理回路ブロックのうち電圧ＢＡＴ１及び電圧Ｖ２で動作する処理回路ブロック（ＲＤＥＴ１３、ＲＴＣ１５、人体検知部１６及びＮＩＣ７、ネットワークＩ／Ｆ８、ハブ９、大容量不揮発メモリ１０、ＵＳＢ  Ｉ／Ｆ１１、ＦＡＸ部１２、操作部１８等）に供給する場合に、充放電部６０及び電圧出力部７０から供給される電力がスリープモード時に動作するスリープ時動作回路に対して所定の動作を行うのに有効な電力量であるか否かを、ＣＰＵ３１が、電圧検知回路６６の検出信号ＤＥＴ２、ＤＥＴ３に基づいて判定して、有効な電力量であると判定すると、商用交流電力から比較的大量の直流電力及び交流電力を生成するＰＳＵ３をオフの状態とし、第２電池６５の電力を充放電部６０及び電圧出力部７０によってスリープモード時動作回路に供給させ、該判定結果が無効な電力量であると判定すると、充放電制御回路６２、６４に第２電池６５を充電させるとともに、定電圧生成部５０からの電力出力を抑制している。
【０１３１】
したがって、ＰＳＵ３に比較してエネルギー効率の良好なＵＳＢ供給電力を可能な限り有効利用して、回路の消費電力がＵＳＢ供給電力だけでは不足する場合には、第２電池から補充を行うことができ、ＵＳＢ供給電力が期待できない夜間や休日にも、ＰＳＵ３を動作させることなく、スリープモードで機能動作を行う消費電力をより一層削減することができる。
【０１３２】
すなわち、ＰＳＵ３の電力を使用することなく、機能を達成することのできる回路の電力として、ＵＳＢ供給電力を利用し、ＵＳＢ供給電力のみでは、電力が不足するときに、第２電池６５から電力を補充し、また、ＵＳＢ供給電力を利用することができないときには、第２電池からの電力だけを使用して動作させることで、プロッタ４等の大電流に適したＰＳＵ３の電力を、エネルギー効率の悪い小電流時に使用することを抑制して、省電力効果を向上させている。
【０１３３】
また、本実施例の複合装置１は、第１電池６３として、キャパシタを用いてもよく、キャパシタを用いると、上述のように、一次充電をより急速に行うことができ、また、第２電池６５への転送に切り替える際にも、待ち時間を少なくすることができる。その結果、さらに、切り替え信号ＳＷ４をＰＷＭ制御するタイミングを比較的容易にすることができ、プリント動作時にスイッチ６１からより多くの電流を取り込むことができる。また、スイッチ７２から供給する回路で突入電流が発生する場合に、急速に電流供給するため急速放電できるように回路工夫することで、定電流回路９５を簡略化することができる。
【０１３４】
さらに、本実施例の複合装置１は、第１電池６３及び第２電池６５を、複数のセルからなる１つの電池で構成してもよく、このようにすると、蓄電部分のメカニカル機構を安全上容易な構造にすることができる。
【０１３５】
また、本実施例の複合装置１は、ＣＰＵ３１が、充放電制御回路６２、６４による第１電池６３及び第２電池６５の充電タイミング及び充電期間を、複写装置１全体の動作頻度に基づいて制御している。
【０１３６】
このようにすると、ユーザによる複写装置１の利用状況に応じて適切な充電タイミング及び充電期間を設定することができ、利用性を向上させつつ、省電力を図ることができる。
【０１３７】
さらに、本実施例の複合装置１は、ＣＰＵ３１が、充放電制御回路６２、６４による第１電池６３及び第２電池６５の充電タイミング及び充電期間を、複写装置１全体の消費電力と第１電池６３及び第２電池６５への充電電力の比率に基づいて制御している。
【０１３８】
このようにすると、オフィス等における複写装置１の使用環境に合わせて、省電力効果を発揮させることができ、休み時間、夜間及び休日においても、省電力効果を向上させることができる。
【０１３９】
また、本実施例の複合装置１は、所定範囲の人体を検知する人体検知部１６によって検知して、人体検知部１６が人体を非検知の状態のときに、ＣＰＵ３１が、充放電制御回路６２、６４による第１電池６３及び第２電池６５を行わせている。
【０１４０】
したがって、人が複写装置１を利用しないタイミングに第１電池６３及び第２電池６５の充電を行って、利用性をより一層向上させつつ、省電力効果を向上させ鵜ことができる。
【実施例２】
【０１４１】
図１４は、本発明の画像処理装置、電力管理方法、電力管理プログラム及び記録媒体の第２実施例を適用した複合装置の充放電制御回路の回路構成図である。
【０１４２】
なお、本実施例は、上記第１実施例の複合装置１と同様の複合装置に適用したものであり、本実施例の説明においては、上記第１実施例と同様の構成部分には、同一の符号を付してその説明を小簡略化するとともに、図示しない部分についても、必要に応じて第１実施例で用いた符号をそのまま用いて説明する。
【０１４３】
図１４において、充放電制御回路１００は、第１実施例の複合装置１の充放電制御回路６２の下流側に接続され、第１実施例の充放電制御回路６４に並列に増設充放電制御回路１１０が接続されている。
【０１４４】
増設充放電制御回路１１０は、充電回路１１１、放電回路１１２及び電圧検知回路１１３を備えており、電池コネクタ１１４に離接可能に接続される増設電池１２０に対する充放電を制御する。
【０１４５】
充電回路１１１は、充放電制御回路６２からの入力に接続されているダイオード９１に、充放電制御回路６４の充電回路９３に対して並列に接続されており、充電回路１１１と放電回路１１２との間に増設電池１２０が離接可能に接続される。放電回路１１２は、その出力が放電回路９４の出力に接続されて、スイッチ７２に電力を供給する。
【０１４６】
増設充放電制御回路１１０は、増設電池１２０が充電回路１１１から充電される電流方向と、電池１２０から放電回路１１２へと放電される電流方向とが、逆流しないように整流する。増設充放電制御回路１１０は、増設電池１２０によっては制限抵抗と整流ダイオードだけの簡単な構成であってもよいが、充電回路１１１としては、充電電流のリップルを下げたり、電池電圧に応じて充電電流を変えたりする回路構成が取られているものであってもよく、放電回路１１２も急激な放電を避けるために、電流制限する回路構成が行われていてもよい。
【０１４７】
そして、電池コネクタ１１４に装着される増設電池１２０として、多くの種類の増設電池を選択できるようにするために、複合装置１において、使用前に充放電特性を検査し、電池電圧を細かく検出して、第２電池６５の並列動作を算出して、充電回路１１１、放電回路１１２を調整する。実際には、第２電池６５と同特性で容量が異なる電池を増設電池１２０として利用することが好ましい。
【０１４８】
そして、電圧検知回路１１３は、増設電池１２０の電池電圧を検出して検出信号ＤＥＴ５及び検出信号ＤＥＴ６を定電圧制御回路１４に出力する。
【０１４９】
定電圧制御回路１４は、ＣＰＵ３１が、第２電池６５の容量と増設電池１２０の容量との比較から、第２電池６５の電池電圧を電圧検知回路６６の検出信号ＤＥＴ２、ＤＥＴ３と電圧検知回路１１３の検出信号ＤＥＴ５、ＤＥＴ６を、電圧ＢＡＴ１のみで駆動する回路に有効な電圧スレッシュ、第２電池６５と増設電池１２０を利用した電圧Ｖ２が必要な電圧スレッシュ及び第２電池６５と増設電池１２０が充電完了した電圧スレッシュを条件として、これらの電圧スレッシュのＯＲ処理やＡＮＤ処理を行うことによって判定する。
【０１５０】
このようにすると、複写装置１のユニット増設や利用形態に応じて電池を増設することができ、利用性を向上させつつ、省電力効果を向上させることができる。
【０１５１】
なお、電池コネクタ１１４に接続する増設電池１２０の容量を限定することで、第２電池６５との電圧スレッシュをほぼ同じにすると、第２電池６５と増設電池１２０の残量と電圧値がほぼ同じになるので、電圧検知回路１１３を設けることなく、電圧検知回路６６のみを設けて、その検出信号ＤＥＴ２、３のみで、電圧管理処理を行うことができる。
【実施例３】
【０１５２】
図１５は、本発明の画像処理装置、電力管理方法、電力管理プログラム及び記録媒体の第３実施例を適用した複合装置のブロック構成図である。
【０１５３】
なお、本実施例は、第１実施例の複合装置１と同様の複合装置に適用したものであり、第１実施例の複合装置１と同様の構成部分には、同一の符号を付してその詳細な説明を省略するとともに、図示しない部分についても、第１実施例と同様の構成部分については、必要に応じて第１実施例の説明で用いた符号をそのまま用いて説明する。
【０１５４】
図１５において、複合装置１Ｕは、複合装置本体ユニットＵ１と電力管理ユニットＵ２が離接可能に接続される。
【０１５５】
複合装置本体ユニットＵ１は、第１実施例の複合装置１と同様のメイン電源スイッチ２、ＰＳＵ３、プロッタ４、画像処理部５、コントローラ６、ＮＩＣ７、ネットワークＩ／Ｆ８、ハブ９、大容量不揮発メモリ１０、ＵＳＢ  Ｉ／Ｆ１１、ＡＤＦ／ＦＢ部１７、操作部１８、スキャナ１９及びＩＯ制御部２０等を搭載しており、電力管理ユニットＵ２は、ＦＡＸ部１２、ＲＤＥＴ１３、定電圧制御回路１４、ＲＴＣ１５及び人体検知部１６を搭載している。
【０１５６】
そして、外部装置であるパーソナルコンピュータＰＣは、電力管理ユニットＵ２に接続されて、ＵＳＢ供給電力ＶＢＵＳを定電圧制御回路１４に供給するとともに、複合装置本体ユニットＵ１のＵＳＢ  Ｉ／Ｆ１１に接続される。
【０１５７】
また、電力管理ユニットＵ２には、複合装置本体ユニットＵ１に接続されているプラグ２１とは別に、プラグ２１ａが接続されており、定電圧制御回路１４に商用交流電力を取り込む。
【０１５８】
なお、上記構成では、電力管理ユニットＵ２にＦＡＸ部１２が搭載されており、複合装置本体ユニットＵ１にＦＡＸ部１２を搭載していない場合に、電力管理ユニットＵ２を増設することで、ＦＡＸ部１２を増設するとともに、電力管理ユニットＵ２を搭載して、ＵＳＢ供給電力を有効利用した省電力制御を行う複合装置１Ｕとして構築することができる。
【０１５９】
そして、上記構成においては、複合装置本体ユニットＵ１は、構成するブロックのうち電圧ＢＡＴ１、電圧Ｖ２で動作するブロック（ＮＩＣ７、ネットワークＩ／Ｆ８、大容量不揮発メモリ１０、ＵＳＢ  Ｉ／Ｆ１１及び操作部１８等）に、ＰＳＵ３の出力する電圧Ｖ１を切り替えて接続できるようにすることで、電力管理ユニットＵ２の接続されていないときには、複合装置本体ユニットＵ１単独で動作し、電力管理ユニットＵ２を増設すると、電力管理ユニットＵ２による電力管理下で動作するとともに、ＦＡＸ機能が増設された状態となる。
【０１６０】
このようにすると、複写装置１のユニット構成に応じて簡単に電力管理を行うことができる。
【０１６１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１６２】
本発明は、外部からのＵＳＢ供給電力を有効利用するプリンタ装置、複合装置、複写装置等の画像処理装置、電力管理方法、電力管理プログラム及び記録媒体に利用することができる。
【符号の説明】
【０１６３】
１  複合装置
２  メイン電源スイッチ
３  ＰＳＵ
３ａ  スイッチ
４  プロッタ
５  画像処理部
６  コントローラ
７  ＮＩＣ
８  ネットワークＩ／Ｆ
９  ハブ
１０  大容量不揮発メモリ
１１  ＵＳＢ  Ｉ／Ｆ
１２  ＦＡＸ部
１３  ＲＤＥＴ
１４  定電圧制御回路
１５  ＲＴＣ
１６  人体検知部
１７  ＡＤＦ／ＦＢ部
１８  操作部
１９  スキャナ
２０  ＩＯ制御部
Ｖ１、Ｖ２、ＢＡＴ１  電圧
２１  プラグ
２２  バス
３１  ＣＰＵ
３２  ＦＲＯＭ
３３  ＳＲＡＭ
３４  ＤＰＲＡＭ
３５  ＤＡＡ  Ｉ／Ｆ
３６  ＳＩＯ
３７  ＰＩＯ
３８  ＮＩＦ
３９  ＤＡＡ
４０  トランス
ＳＷ２〜ＳＷ４  切り替え信号
ＤＥＴ１〜ＤＥＴ４  検知信号
５０  定電圧生成部
５１  トランス
５２  ダイオードブリッジ
５３  整流コンデンサ
５４  スイッチングレギュレータ
５５  平滑コンデンサ
６０  充放電部
６１  スイッチ
６１ａ、６１ｂ  切り替え端子
６１ｃ  切り替え切片
６２  充放電制御回路
６３  第１電池
６４  充放電制御回路
６５  第２電池
６６  電圧検知回路
７０  電圧出力部
７１  ダイオード
７２  スイッチ
７３  電圧検知回路
８１  電流検知部
８２  定電流回路
８３  充電回路
８４  放電回路
８５  ダイオード
９１、９２  ダイオード
９３  充電回路
９４  放電回路
９５  電流検知部
１００  充放電制御回路
１１１  充電回路
１１２  放電回路
１１３  電圧検知回路
１１４  電池コネクタ
１２０  増設電池
ＤＥＴ５、ＤＥＴ６  検出信号
１Ｕ  複合装置
Ｕ１  複合装置本体ユニット
Ｕ２  電力管理ユニット
２１ａ  プラグ
【先行技術文献】
【特許文献】
【０１６４】
【特許文献１】特許第３７３３８２０号号公報
【図１】
0005446632.tif 000002
【図２】
0005446632.tif 000003
【図３】
0005446632.tif 000004
【図４】
0005446632.tif 000005
【図５】
0005446632.tif 000006
【図６】
0005446632.tif 000007
【図７】
0005446632.tif 000008
【図８】
0005446632.tif 000009
【図９】
0005446632.tif 000010
【図１０】
0005446632.tif 000011
【図１１】
0005446632.tif 000012
【図１２】
0005446632.tif 000013
【図１３】
0005446632.tif 000014
【図１４】
0005446632.tif 000015
【図１５】
0005446632.tif 000016
【図１６】
0005446632.tif 000017
【図１７】
0005446632.tif 000018